(57)【特許請求の範囲】
【請求項１】
装置本体の上部に開閉部材が配設され、該開閉部材を開くことによって重心が移動する画像処理装置において、
（ａ）前記装置本体における重心が移動する側の端部において、前記装置本体に対して着脱自在に、かつ、装置本体より突出させて配設された重心位置調整部材を有するとともに、
（ｂ）該重心位置調整部材は、装置本体の底面に形成された第１の被係合部と係合させられる第１の係合部、装置本体の側面に形成された第２の被係合部と係合させられる第２の係合部、及び該第２の係合部を前記第２の被係合部に向けて付勢する付勢部材を備えることを特徴とする画像処理装置。
【請求項２】
前記重心位置調整部材は、板状の部材、及び該板状の部材から上方に向けて突出させて形成されたブロック状の凸部を備える請求項１に記載の画像処理装置。
【請求項３】
（ａ）前記装置本体の下部に着脱自在に取り付けられる補助トレイを有するとともに、
（ｂ）前記重心位置調整部材は、前記装置本体の下部に補助トレイが取り付けられた状態で、前記第１の係合部と、補助トレイの底面に形成された被係合部とを係合させることによって補助トレイにセットされる請求項１又は２に記載の画像処理装置。
【請求項４】
（ａ）前記装置本体の下部に着脱自在に取り付けられる補助トレイと、
（ｂ）該補助トレイの下部に着脱自在に取り付けられる他の補助トレイとを有するとともに、
（ｃ）前記重心位置調整部材は、前記装置本体の下部に補助トレイが、該補助トレイの下部に他の補助トレイが取り付けられた状態で、前記第１の係合部と、他の補助トレイの底面に形成された被係合部とを係合させることによって他の補助トレイにセットされる請求項１又は２に記載の画像処理装置。
【請求項５】
前記重心位置調整部材の底部に弾性部材が配設される請求項１〜４のいずれか１項に記載の画像処理装置。
【発明の詳細な説明】
【技術分野】
【０００１】
本発明は、画像処理装置に関するものである。
【背景技術】
【０００２】
従来、プリンタ、複写機、ファクシミリ装置、スキャナ等の機能のうちの少なくとも二つの機能を有する画像処理装置が提供されていて、該画像処理装置のうちの、例えば、複合機においては、プリンタの機能及びスキャナの機能を有する。
【０００３】
そして、プリンタ機能を有する第１の画像処理部としての画像形成装置の上方にスキャナ機能を有する第２の画像処理部としての画像読取部を備える複合機においては、画像形成装置を操作する際には、画像読取部を開く必要があり、画像読取部を所定の角度（３０〔°〕〜４５〔°〕程度）開くようにしている（例えば、特許文献１参照。）。
【０００４】
図２は従来の複合機の概略図である。
【０００５】
図において、１１はプリンタの機能を有する第１の画像処理部としての画像形成装置、２１は用紙、１２は該用紙２１を収容する用紙カセット、１３は、該用紙カセット１２の前端に隣接させて配設され、用紙２１を１枚ずつ分離して供給する給紙ローラ、１４は、前記用紙２１の搬送方向における給紙ローラ１３より下流側に配設され、用紙２１を搬送する搬送ローラ、１５は搬送される用紙２１の前端を検出するセンサ、１６は感光体ドラム等によって構成され、各色のトナー像を形成する画像形成ユニット、３１は該画像形成ユニット１６において形成された各トナー像を順次用紙２１に転写してカラーのトナー像を形成する転写ユニット、１７はカラーのトナー像を用紙２１に定着させ、カラーの画像を形成する定着器、１８は回転支点１９として揺動自在に配設され、開閉されるトップカバー、２２は、該トップカバー１８の上方に配設され、スキャナの機能を有する第２の画像処理部としての画像読取装置である。なお、画像形成装置１１及び画像読取装置２２によって複合機が構成される。
【０００６】
前記構成の画像形成装置１１において、図示されないホストコンピュータから画像データが送られると、図示されない制御部は、給紙ローラ１３を回転させて用紙２１を、用紙カセット１２から給紙し、搬送ローラ１４によって搬送して画像形成ユニット１６と転写ユニット３１との間に送る。そして、前記制御部は、画像形成ユニット１６によって形成された各色のトナー像を転写ユニット３１によって順次用紙２１に転写してカラーのトナー像を形成し、続いて、定着器１７によってカラーのトナー像を用紙２１に定着させてカラーの画像を形成する。その後、用紙２１はトップカバー１８によって形成されるスタッカに排出される。
【０００７】
また、原稿である所定の用紙に形成された画像を他の用紙２１に複写する場合、画像読取装置２２は、画像を読み取り、読み取られた画像のデータ、すなわち、画像データを画像形成装置１１に送る。そして、該画像形成装置１１において、画像データが送られると、前記制御部は、前述された手順でカラーの画像を形成する。したがって、画像読取装置２２において読み取られた画像と同一の画像を形成することができる。
【特許文献１】特開２００５−５３６４８号公報
【発明の開示】
【発明が解決しようとする課題】
【０００８】
しかしながら、前記従来の複合機においては、トップカバー１８を３０〔°〕〜４５〔°〕程度しか開くことができないので、画像形成装置１１のメンテナンスを行う場合、例えば、媒体搬送路における用紙ジャムを解除したり、画像形成ユニット１６、定着器１７等の消耗品を交換したりする際に操作性が低下してしまう。
【０００９】
本発明は、前記従来の複合機の問題点を解決して、操作性を向上させることができる画像処理装置を提供することを目的とする。
【課題を解決するための手段】
【００１０】
そのために、本発明の画像処理装置においては、装置本体の上部に開閉部材が配設され、該開閉部材を開くことによって重心が移動するようになっている。
【００１１】
そして、前記装置本体における重心が移動する側の端部において、前記装置本体に対して着脱自在に、かつ、装置本体より突出させて配設された重心位置調整部材を有する。
また、該重心位置調整部材は、装置本体の底面に形成された第１の被係合部と係合させられる第１の係合部、装置本体の側面に形成された第２の被係合部と係合させられる第２の係合部、及び該第２の係合部を前記第２の被係合部に向けて付勢する付勢部材を備える。
【発明の効果】
【００１２】
本発明によれば、画像処理装置においては、装置本体の上部に開閉部材が配設され、該開閉部材を開くことによって重心が移動するようになっている。
【００１３】
そして、前記装置本体における重心が移動する側の端部において、前記装置本体に対して着脱自在に、かつ、装置本体より突出させて配設された重心位置調整部材を有する。
また、該重心位置調整部材は、装置本体の底面に形成された第１の被係合部と係合させられる第１の係合部、装置本体の側面に形成された第２の被係合部と係合させられる第２の係合部、及び該第２の係合部を前記第２の被係合部に向けて付勢する付勢部材を備える。
【００１４】
この場合、重心位置調整部材が配設されるので、開閉部材を約９０〔°〕開くことができるようになる。したがって、操作性を向上させることができる。
【発明を実施するための最良の形態】
【００１５】
以下、本発明の実施の形態について図面を参照しながら詳細に説明する。この場合、画像処理装置としての複合機について説明する。
【００１６】
図１は本発明の第１の実施の形態における重心位置調整部材を引出位置に置いた状態を示す図、図３は本発明の第１の実施の形態における画像形成装置の底面図、図４は本発明の第１の実施の形態における重心位置調整部材を収容位置に置いた状態を示す図、図５は本発明の第１の実施の形態における複合機の重心の移動を示す図である。
【００１７】
図において、１１は第１の画像処理部としての、かつ、装置本体としての画像形成装置、２１は媒体としての用紙、１２は該用紙２１を収容する媒体収容部としての用紙カセット、１３は、該用紙カセット１２の前端に隣接させて配設され、用紙２１を１枚ずつ分離して供給するための供給ローラとしての給紙ローラ、１４は、前記用紙２１の搬送方向における給紙ローラ１３より下流側に配設され、用紙２１を搬送する搬送ローラ、１５は搬送される用紙２１の前端を検出する媒体検出部としてのセンサ、１６はブラック、イエロー、マゼンタ及びシアンの各色の現像剤像としてのトナー像を形成する画像形成ユニット、３１は該画像形成ユニット１６において形成された各トナー像を順次用紙２１に転写してカラーのトナー像を形成する転写ユニット、１７はカラーのトナー像を用紙２１に定着させ、カラーの画像を形成する定着器、１８は回転支点１９として揺動自在に配設され、開閉される開閉部材としてのトップカバー、２２は、該トップカバー１８の上方に配設され、スキャナの機能を有する第２の画像処理部としての画像読取装置である。なお、画像形成装置１１及び画像読取装置２２によって複合機が構成される。
【００１８】
前記画像形成ユニット１６は、ブラック、イエロー、マゼンタ及びシアンの現像装置（画像形成部）１６Ｂｋ、１６Ｙ、１６Ｍ、１６Ｃを備え、各現像装置１６Ｂｋ、１６Ｙ、１６Ｍ、１６Ｃに像担持体としての感光体ドラム５１が配設される。また、前記各現像装置１６Ｂｋ、１６Ｙ、１６Ｍ、１６Ｃに隣接させて、露光装置としてのＬＥＤヘッド５２が配設され、該ＬＥＤヘッド５２は感光体ドラム５１の表面を露光して静電潜像を形成する。そして、前記転写ユニット３１は、搬送部材としての搬送ベルト５３、及び各感光体ドラム５１と対向させて配設された転写装置としての転写ローラ５４を備え、該転写ローラ５４は感光体ドラム５１に形成されたトナー像を用紙２１に転写する。
【００１９】
なお、前記画像形成ユニット１６は、前記感光体ドラム５１の表面を一様に、かつ、均一に帯電させる帯電装置としての図示されない帯電ローラ、現像剤としてのトナーを保持し、感光体ドラム５１の表面の静電潜像にトナーを付着させてトナー像を形成する現像剤担持体としての図示されない現像ローラ、トナー像が用紙２１に転写された後に、感光体ドラム５１上に残留したトナーを除去するクリーニング装置としての図示されないクリーニングブレード等を備える。
【００２０】
また、５６は、トップカバー１８の内側に配設され、前記ＬＥＤヘッド５２を保持するヘッドサポート部、２４は、画像形成装置１１の端部において突出させて配設され、剛性の高い材質、例えば、金属等から成り、複合機の重心の位置を調整する重心位置調整部材である。該重心位置調整部材２４は、図３に示されるように、「コ」字状の形状を有し、画像形成装置１１の側面の下端の全体にわたって延在する側縁部２４ａ、該側縁部２４ａの前端から画像形成装置１１の前面の下端の左半部にわたって延在する前縁部２４ｂ、前記側縁部２４ａの後端から画像形成装置１１の背面の下端の左半部にわたって延在する後縁部２４ｃ、及び側縁部２４ａから突出させて形成された取手部２４ｄを備える。
【００２１】
前記重心位置調整部材２４は、図３及び４に示されるように、画像形成装置１１の筐体内に収容される収容位置、及び図１に示されるように、画像形成装置１１の筐体内から矢印Ａ方向に引き出された引出位置を取る。なお、前記前縁部２４ｂ及び後縁部２４ｃの一端（取手部２４ｄと反対側の端部）には、重心位置調整部材２４が画像形成装置１１から引き出されるのを防止するために抜止め部２４ｅが形成され、前記重心位置調整部材２４は長さＮ分だけ引出自在にされる。また、重心位置調整部材２４に大きな荷重が加わったときに、重心位置調整部材２４が変形することがないように、抜止め部２４ｅの近傍に傾斜部２４ｆが形成される。
【００２２】
前記長さＮは、画像形成装置１１及び画像読取装置２２の重量の関係に基づいて設定され、画像形成装置１１の重量が画像読取装置２２の重量と比べて、十分大きい場合は短くされ、差がない場合は長くされる。
【００２３】
前記構成の複合機において、原稿である所定の用紙に形成された画像を他の用紙２１に複写する場合、画像読取装置２２によって画像が読み取られ、読み取られた画像データは画像形成装置１１に送られる。該画像形成装置１１においては、画像データが送られると、給紙ローラ１３が回転させられ、用紙カセット１２から用紙２１が給紙される。そして、用紙２１は、搬送ローラ１４によって画像形成ユニット１６と転写ユニット３１との間に送られる。
【００２４】
一方、前記画像形成ユニット１６においては、前記画像データに従って各感光体ドラム５１にトナー像が形成され、各転写ローラ５４によってトナー像は順次重ねて用紙２１に転写され、カラーのトナー像が形成される。続いて、用紙２１は定着器１７に送られ、該定着器１７において、カラーのトナー像が定着させられてカラー画像が形成される。そして、用紙２１は、排出ローラ２３によって、画像形成装置１１外に配設され、トップカバー１８によって形成されるスタッカに排出され、積層される。このようにして、画像読取装置２２において読み取られた画像と同一の画像を形成することができる。
【００２５】
ところで、例えば、用紙２１が給紙されて画像形成装置１１外に排出されるまでの間に、用紙２１に搬送ジャム等の不具合が発生することがあり、その場合、用紙２１を取り除く必要がある。また、画像形成ユニット１６等の消耗品が寿命になると、消耗品を交換したり、現像装置１６Ｂｋ、１６Ｙ、１６Ｍ、１６Ｃを交換したりする必要がある。
【００２６】
そして、このような画像形成装置１１のメンテナンスを行う場合、図５に示されるように、トップカバー１８を開放して作業を行うことになるが、トップカバー１８に取り付けられた画像読取装置２２は、図示されないモータ、基板、板金等の部品によって構成されていて、重量が大きいので、トップカバー１８を開放したときに、複合機の重心Ｇが画像形成装置１１の一端側、すなわち、回転支点１９がある側に移動する。特に、搬送ジャム等の不具合を解除するために、画像形成ユニット１６、定着器１７等を画像形成装置１１内から取り出す場合、トップカバー１８にヘッドサポート部５６が配設されているので、画像形成ユニット１６、定着器１７等とＬＥＤヘッド５２とが干渉することがないように、トップカバー１８を約９０〔°〕近く開く必要がある。また、画像形成ユニット１６、定着器１７等を画像形成装置１１内から取り出すと、画像形成装置１１の本体がその分軽くなり、前記複合機の重心Ｇは一層回転支点１９がある側に移動する。
【００２７】
そこで、本実施の形態においては、前述されたように、画像形成装置１１における重心Ｇが移動する側の端部において装置本体外に、前記重心位置調整部材２４を収納自在に配設し、トップカバー１８が閉じられた状態で、重心位置調整部材２４を収容位置に、トップカバー１８が開かれるときに、重心位置調整部材２４を引出位置に置くようにしている。
【００２８】
すなわち、トップカバー１８が閉じられた状態で、複合機の長さＬ１のほぼ中央に位置していた重心Ｇは、トップカバー１８を開くことによって、回転支点１９がある側に移動するが、重心位置調整部材２４が引出位置に置かれ、複合機の底面が、重心Ｇの移動した方向に広がり、重心Ｇを、複合機の底面の長さＬ２のほぼ中央に位置させることができる。したがって、トップカバー１８を約９０〔°〕まで開くことができるので、複合機のメンテナンスを行う場合、例えば、媒体搬送路における用紙ジャムを解除したり、画像形成ユニット１６、定着器１７等の消耗品を交換したりする際の操作性を向上させることができる。
【００２９】
なお、複合機を輸送したり、保管したりする際に、トップカバー１８を開く必要がない場合、重心位置調整部材２４を収容位置に置くことができるので、複合機の占有面積を小さくすることができる。
【００３０】
さらに、前記長さＮは、画像形成装置１１及び画像読取装置２２の重量の関係に基づいて設定され、画像形成装置１１の重量が画像読取装置２２の重量と比べて、十分大きい場合は短くされ、差がない場合は長くされるので、複合機の占有面積を小さくすることができる。
【００３１】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。また、本実施の形態における画像形成装置の構造については、前記第１の実施の形態における画像形成装置の構造と同様であるので図１を援用して説明する。
【００３２】
図６は本発明の第２の実施の形態における重心位置調整部材が取り外された複合機の概略図、図７は本発明の第２の実施の形態における重心位置調整部材の斜視図、図８は本発明の第２の実施の形態における重心位置調整部材の正面図、図９は本発明の第２の実施の形態における重心位置調整部材の平面図、図１０は本発明の第２の実施の形態における重心位置調整部材がセットされた複合機の概略図、図１１は本発明の第２の実施の形態における補助トレイの正面図、図１２は本発明の第２の実施の形態における複数の補助カセットを使用する場合の複合機の組立図である。
【００３３】
この場合、第１の画像処理部としての、かつ、装置本体としての画像形成装置１１の底面１１ａの２箇所に、第１の被係合部としての孔３５（図６においては、二つの孔３５のうちの一つの孔３５だけを示す。）が、側面１１ｂの２箇所に、第２の被係合部としての溝３６（図６においては、二つの溝３６のうちの一つの溝３６だけを示す。）が形成され、前記画像形成装置１１の底面１１ａから側面１１ｂにかけて、重心位置調整部材６１が着脱自在に配設される。該重心位置調整部材６１は、基部３４ａ、及び該基部３４ａの両端から延びる二つの腕部３４ｂを備え、「コ」字状の形状を有する板状の部材３４、前記基部３４ａの２箇所に、上方に向けて突出させて形成され、前記孔３５に収まる形状を有する第１の係合部としての位置決めピン３７、並びに前記各腕部３４ｂに固定されたブロック状の凸部３８を有する。
【００３４】
該各凸部３８における前記側面１１ｂと対向する部分には、揺動自在に配設され、フック状の形状を有する第２の係合部としての爪３９、及び該爪３９を矢印Ｂ方向に付勢する付勢部材としてのスプリング３２を備える。通常の状態で、爪３９は、先端の突起部３１ａが凸部３８の前面から突出する位置に置かれる。また、部材３４の底面の２箇所に、支持部材としての弾性部材３３が配設される。したがって、重心位置調整部材６１に衝撃が加わった場合に、画像形成装置１１に滑りが発生するのを抑制することができるので、複合機のバランスを保つことができ、また、画像形成装置１１が設置されたテーブル等の面に傷が付くのを防止することができる。
【００３５】
ところで、本実施の形態においては、第２の画像処理部としての画像読取装置２２の重量を約６〔ｋｇ〕とし、画像形成装置１１の重量を約２６〔ｋｇ〕とし、画像形成ユニット１６の重量を約５〔ｋｇ〕とし、定着器１７の重量を約１．５〔ｋｇ〕とした場合、画像形成装置１１から画像形成ユニット１６及び定着器１７を取り外したときの重量は約１９．５〔ｋｇ〕になるが、その場合、前記複合機の重心Ｇは回転支点１９がある側に移動する。
【００３６】
そこで、本実施の形態においては、前述されたように、前記重心位置調整部材６１が配設されるようになっている。
【００３７】
そして、図８に示されるように、部材３４の長さＤ１を２３０〔ｍｍ〕とし、凸部３８の長さＤ２を１００〔ｍｍ〕とし、凸部３８の高さＨを６０〔ｍｍ〕とした。なお、凸部３８の長さＤ２は、画像形成装置１１のトップカバー１８を開いた際に、画像読取装置２２が重心位置調整部材６１の端面６１ａからはみ出すことがないように、すなわち、端面６１ａより内側になるように設定した。
【００３８】
前記構成の複合機において、重心位置調整部材６１を画像形成装置１１にセットする場合、画像形成装置１１の底面１１ａに形成された孔３５に、重心位置調整部材６１に形成された位置決めピン３７が入る位置で画像形成装置１１を下方に移動させると、爪３９が、側面６１ａ側に押されて、スプリング３２の付勢力に抗して図８の矢印Ｂ方向と逆の方向に回動させられる。そして、画像形成装置１１をそのまま更に下方に移動させ、画像形成装置１１の側面１１ｂに形成された溝３６が爪３９の位置に到達すると、位置決めピン３７が孔３５に入り込むとともに、爪３９がスプリング３２の付勢力によって矢印Ｂ方向に回動させられ、溝３６に入り込み、図１０に示されるように、重心位置調整部材６１が画像形成装置１１にセットされる。
【００３９】
この状態で、位置決めピン３７が孔３５に、爪３９が溝３６に係止させられるので、複合機を持ち上げても、重心位置調整部材６１が画像形成装置１１から外れて落下することはない。
【００４０】
また、重心位置調整部材６１を画像形成装置１１から取り外す際は、爪３９を溝３６から外す方向に押して、画像形成装置１１を上方に移動させると、孔３５から位置決めピン３７が抜ける。このようにして、重心位置調整部材６１を画像形成装置１１から取り外すことができる。
【００４１】
ところで、前記画像形成装置１１のオプションとして、図１１に示されるような補助トレイとしての補助カセット６２が配設され、該補助カセット６２を前記画像形成装置１１の下部に取り付けることによって、多段トレイを構成することができる。
【００４２】
図１１において、４１は補助の媒体収容部としての補助カセット６２に収容された媒体としての用紙２１を１枚ずつ分離して供給するための供給ローラとしての給紙ローラ、４２は前記用紙２１の搬送方向における給紙ローラ４１より下流側に配設され、用紙２１を搬送する搬送ローラである。
【００４３】
前記補助カセット６２の底面６２ａの２箇所に、第１の被係合部としての孔４３（図１１及び１２においては、二つの孔４３のうちの一つの孔４３だけを示す。）が、側面６２ｂの２箇所に、第２の被係合部としての溝４５（図１１及び１２においては、二つの溝４５のうちの一つの溝４５だけを示す。）が形成され、上面６２ｃの２箇所に、第１の係合部としての位置決めピン４４（図１１及び１２においては、二つの位置決めピン４４のうちの一つの位置決めピン４４だけを示す。）が形成される。
【００４４】
補助カセット６２を使用する場合、前述されたような手順で画像形成装置１１から重心位置調整部材６１を取り外し、多段トレイの一番下の補助カセット６２の底面６２ａに形成された孔４３に位置決めピン３７が入る位置で補助カセット６２を下方に移動させると、爪３９が、側面６１ａ側に押されて、スプリング３２の付勢力に抗して図８の矢印Ｂ方向と逆の方向に回動させられる。そして、補助カセット６２をそのまま更に下方に移動させ、補助カセット６２の側面６２ａに形成された溝４５が爪３９の位置に到達すると、位置決めピン３７が孔４３に入り込むとともに、爪３９がスプリング３２の付勢力によって矢印Ｂ方向に回動させられ、溝４５に入り込み、図１２に示されるように、重心位置調整部材６１が補助カセット６２にセットされる。
【００４５】
このようにして、一番下の補助カセット６２に重心位置調整部材６１をセットした後、他の補助カセット６２の底面６２ａに形成された孔４３に位置決めピン４４が入るように、各補助カセット６２を積み重ね、画像形成装置１１の底面１１ａに形成された孔３５に位置決めピン４４が入るように、画像形成装置１１を積み重ねる。このようにして、多段トレイを画像形成装置１１にセットすることができる。
【００４６】
このように、トップカバー１８が閉じられた状態で、複合機の長さのほぼ中央に位置していた重心Ｇは、トップカバー１８を開くことによって、回転支点１９がある側に移動するが、重心位置調整部材６１がセットされ、複合機の底面が、重心Ｇの移動した方向に広がり、重心を、複合機の底面の長さのほぼ中央に位置させることができる。したがって、トップカバー１８を約９０〔°〕まで開くことができるので、複合機のメンテナンスを行う場合、例えば、媒体搬送路において発生した用紙ジャムを解除したり、画像形成ユニット１６、定着器１７等の消耗品を交換する際の操作性を向上させることができる。
【００４７】
また、複合機を輸送したり、保管する際に、トップカバー１８を開く必要がない場合、重心位置調整部材６１を取り外すことができるので、複合機の占有面積を小さくすることができる。
【００４８】
そして、画像形成装置１１に重心位置調整部材６１をセットするための孔３５及び溝３６の位置及び形状と、画像形成装置１１に補助カセット６２をセットするための孔４３及び溝４５の位置及び形状とが同じにされるので、補助カセット６２を使用するときにも、同じ重心位置調整部材６１を使用することができる。したがって、補助カセット６２を使用するときに、重心位置調整部材６１が邪魔になることがなく、新たに補助カセット６２用の重心位置調整部材を配設する必要がない。
【００４９】
前記各実施の形態においては、画像形成装置としての画像形成装置１１及び画像読取装置２２を組み合わせた複合機について説明しているが、本発明を、プリンタ、複写機、ファクシミリ装置、スキャナ等を任意に組み合わせた画像処理装置に適用することができる。
【００５０】
なお、本発明は前記実施の形態に限定されるものではなく、本発明の趣旨に基づいて種々変形させることが可能であり、それらを本発明の範囲から排除するものではない。
【図面の簡単な説明】
【００５１】
【図１】本発明の第１の実施の形態における重心位置調整部材を引出位置に置いた状態を示す図である。
【図２】従来の複合機の概略図である。
【図３】本発明の第１の実施の形態における画像形成装置の底面図である。
【図４】本発明の第１の実施の形態における重心位置調整部材を収容位置に置いた状態を示す図である。
【図５】本発明の第１の実施の形態における複合機の重心の移動を示す図である。
【図６】本発明の第２の実施の形態における重心位置調整部材が取り外された複合機の概略図である。
【図７】本発明の第２の実施の形態における重心位置調整部材の斜視図である。
【図８】本発明の第２の実施の形態における重心位置調整部材の正面図である。
【図９】本発明の第２の実施の形態における重心位置調整部材の平面図である。
【図１０】本発明の第２の実施の形態における重心位置調整部材がセットされた複合機の概略図である。
【図１１】本発明の第２の実施の形態における補助トレイの正面図である。
【図１２】本発明の第２の実施の形態における複数の補助カセットを使用する場合の複合機の組立図である。
【符号の説明】
【００５２】
１１    画像形成装置
１８    トップカバー
２２    画像読取装置
２４、６１    重心位置調整部材
３３    弾性部材
３５、４３    孔
３６、４５    溝
３７、４４    位置決めピン
３９    爪
６２    補助カセット
【図１】
0004550707.tif 000002
【図２】
0004550707.tif 000003
【図３】
0004550707.tif 000004
【図４】
0004550707.tif 000005
【図５】
0004550707.tif 000006
【図６】
0004550707.tif 000007
【図７】
0004550707.tif 000008
【図８】
0004550707.tif 000009
【図９】
0004550707.tif 000010
【図１０】
0004550707.tif 000011
【図１１】
0004550707.tif 000012
【図１２】
0004550707.tif 000013